(57)【特許請求の範囲】
【請求項１】
座の側方において起立し、かつ上端部より下方に受支面を有する肘掛け支柱と、
前記肘掛け支柱の上端部が挿通する上下に貫通する開口部を有し、かつ前記肘掛け支柱の受支面上に、水平面内において左右方向および前後方向に移動可能として支持された肘掛け基板と、
前記肘掛け支柱の上端部が挿通する上下に貫通する孔を有し、前記肘掛け支柱の受支面と肘掛け基板との間に配設され、前記肘掛け基板と、左右方向に相対移動不能、前後方向に相対移動可能として連係され、前記肘掛け支柱と、左右方向に相対移動可能、前後方向に相対移動不能として連係され、かつ下端部に、前記肘掛け基板における開口部を閉塞する閉塞板を有する遮蔽部材と、
前記肘掛け支柱の上端部に設けられ、かつ前記肘掛け支柱の受支面との間に、前記遮蔽部材および肘掛け基板を水平方向に移動可能かつ上方に移動不能として挾持する保持手段と、
この保持手段と前記肘掛け基板の上面を覆うようにして、肘掛け基板に装着した肘当てとを備え、
前記遮蔽部材の閉塞板における左右方向の幅を、前記肘掛け基板における開口部の左右方向の幅より大、かつ前記肘掛け基板の左右方向の幅より小とし、前記前後方向の幅を、前記肘掛け基板が前後方向の移動範囲のいずれの位置にあるときにも、前記肘掛け基板における開口部全体を閉塞しうる長さとしたことを特徴とする椅子の肘掛け装置。
【請求項２】
遮蔽部材における閉塞板の上面に、肘掛け基板における開口部の左右方向の幅とほぼ同一の幅としたガイド突部を設け、このガイド突部を前記肘掛け基板の開口部に、前後方向に相対摺動可能として嵌合することにより、遮蔽部材を、前記肘掛け基板に対して左右方向に相対移動不能、前後方向に相対移動可能とした請求項１記載の椅子の肘掛け装置。
【請求項３】
肘掛け基板に、上下に貫通する前後方向に長いスリットを設け、遮蔽部材における閉塞板の上面に設けた上向突片を、前記スリットに、前記前後方向に摺動可能として嵌合した請求項２記載の椅子の肘掛け装置。
【請求項４】
上向突片の上端部を、保持手段の一部と連係し、肘掛け基板を上下方向に貫通するガイド突部と上向突片とをもって、遮蔽部材と保持手段とを２箇所で連係した請求項３記載の椅子の肘掛け装置。
【請求項５】
肘掛け基板におけるスリットを、開口部から前後方向に連続して設け、かつ上向突片をガイド突部の一端に連設し、上向突片の先端部を保持手段の一部と連係させた請求項４記載の椅子の肘掛け装置。
【発明の詳細な説明】
【技術分野】
【０００１】
本発明は、肘掛けを水平面内において互いに交差する２方向に移動可能とした椅子の肘掛け装置に関する。
【背景技術】
【０００２】
この種の椅子の肘掛け装置においては、肘掛けを前後方向または左右方向の限界位置まで移動させたとき、肘掛けの下面に設けた開口部または長孔の一部が下方に開口し、そこに異物が進入して、肘掛けの移動が不円滑となったり、肘掛けが移動不能となることがある。
【０００３】
このようなおそれを防止するため、肘掛けの下面に設けた開口部または長孔を閉塞板をもって遮蔽するようにしたものがある(例えば、特許文献１〜４参照)。
【先行技術文献】
【特許文献】
【０００４】
【特許文献１】特開２００８−１９４１２５号公報
【特許文献２】特許第４０２７４７８号公報
【特許文献３】米国特許第７１５９９４７号明細書
【特許文献４】米国特許第７５５９６０９号明細書
【発明の概要】
【発明が解決しようとする課題】
【０００５】
特許文献１に記載されているものは、肘掛けの移動可能方向が前後方向と垂直軸廻りの回動だけであるので、肘掛けの下面に形成された長孔を閉塞する遮蔽板は、前後方向に長く形成するだけでよく、左右方向の幅は、長孔の幅よりわずかに大とするだけでよいが、特許文献２および３に記載されているもののように、肘掛けが前後方向と左右方向とに移動可能としたものにおいては、肘掛けの下面に形成される開口部や長孔を完全に閉塞することはできず、それらの一部が下方に露呈しているので、そこから異物が進入して、肘掛けの移動が不円滑となったり、肘掛けが移動不能となることがある。
【０００６】
特許文献４に記載されているものにおいては、肘掛けの下面における第１摺動体１５の開口部を、その下方のスライドシート１６により閉塞しうるようになっているが、スライドシート１６は、それを上下方向に貫通する左右方向に長いスリット１６１に、第１摺動体１５の上方に配設された第２摺動体１４の左右方向を向くガイドレール１４１が摺動可能として嵌合しているだけで、第１摺動体１５および第２摺動体１４に対して、左右方向に移動可能となっているので、肘掛けがたとえば右方に移動し、かつスライドシート１６が左方に移動すると、スライドシート１６が肘掛けの側方に突出したり、第１摺動体１５の開口部の一部が露呈したりするおそれがある。
【０００７】
本発明は、上記問題点に鑑みてなされたもので、簡単な構成で、肘掛けを互いに交差する２方向に移動することができ、かつ肘掛けが移動可能範囲のどの位置にあるときにも、肘掛けの下方における開口部全体を確実に遮蔽部材により閉塞することができ、かつ遮蔽部材が肘掛けの外側方にはみ出すのを防止しうるよにした椅子の肘掛け装置を提供することを目的としている。
【課題を解決するための手段】
【０００８】
本発明によると、上記課題は、次のようにして解決される。
(１)  座の側方において起立し、かつ上端部より下方に受支面を有する肘掛け支柱と、前記肘掛け支柱の上端部が挿通する上下に貫通する開口部を有し、かつ前記肘掛け支柱の受支面上に、水平面内において左右方向および前後方向に移動可能として支持された肘掛け基板と、前記肘掛け支柱の上端部が挿通する上下に貫通する孔を有し、前記肘掛け支柱の受支面と肘掛け基板との間に配設され、前記肘掛け基板と、左右方向に相対移動不能、前後方向に相対移動可能として連係され、前記肘掛け支柱と、左右方向に相対移動可能、前後方向に相対移動不能として連係され、かつ下端部に、前記肘掛け基板における開口部を閉塞する閉塞板を有する遮蔽部材と、前記肘掛け支柱の上端部に設けられ、かつ前記肘掛け支柱の受支面との間に、前記遮蔽部材および肘掛け基板を水平方向に移動可能かつ上方に移動不能として挾持する保持手段と、この保持手段と前記肘掛け基板の上面を覆うようにして、肘掛け基板に装着した肘当てとを備え、前記遮蔽部材の閉塞板における左右方向の幅を、前記肘掛け基板における開口部の左右方向の幅より大、かつ前記肘掛け基板の左右方向の幅より小とし、前記前後方向の幅を、前記肘掛け基板が前後方向の移動範囲のいずれの位置にあるときにも、前記肘掛け基板における開口部全体を閉塞しうる長さとする。
【０００９】
このような構成によると、遮蔽部材は、左右方向に関しては、肘掛け基板と一体となって移動するので、閉塞板の左右方向の幅を肘掛け基板における開口部の左右方向の幅よりわずかに大とするだけで、肘掛け基板の開口部を確実に閉塞することができるとともに、閉塞板が肘掛け基板の側方にはみ出すことはない。
したがって、閉塞板の前後方向の幅を、肘掛け基板が前後方向の移動範囲のいずれの位置にあるときにも、肘掛け基板における開口部全体を閉塞しうる長さとすることにより、肘掛けを互いに交差する前後方向と左右方向の２方向に移動することができるだけでなく、肘掛けが移動可能範囲のどのような位置にあるときにも、肘掛けの下方における開口部全体を確実に遮蔽部材により閉塞することができる。
【００１０】
(２)  上記(１)項において、遮蔽部材における閉塞板の上面に、肘掛け基板における開口部の左右方向の幅とほぼ同一の幅としたガイド突部を設け、このガイド突部を前記肘掛け基板の開口部に、前後方向に相対摺動可能として嵌合することにより、遮蔽部材を、前記肘掛け基板に対して左右方向に相対移動不能、前後方向に相対移動可能とする。
【００１１】
このような構成によると、肘掛けを、前後方向に、がたつくことなく、円滑に移動しうるように案内することができるとともに、ガイド突部を遮蔽部材と一体的に形成して、構造を簡素化することができる。
【００１２】
(３)  上記(２)項において、肘掛け基板に、上下に貫通する前後方向に長いスリットを設け、遮蔽部材における閉塞板の上面に設けた上向突片を、前記スリットに、前記前後方向に摺動可能として嵌合する。
【００１３】
このような構成によると、肘掛け基板における開口部と遮蔽部材におけるガイド突部との係合と、肘掛け基板におけるスリットと遮蔽部材における上向突片との係合により、肘掛け基板と遮蔽部材とを、前後方向に離間した２箇所で互いに案内し合うことができるので、肘掛け基板を前後方向に円滑に案内することができる。
【００１４】
(４)  上記(３)項において、上向突片の上端部を、保持手段の一部と連係し、肘掛け基板を上下方向に貫通するガイド突部と上向突片とをもって、遮蔽部材と保持手段とを２箇所で連係する。
【００１５】
このような構成によると、遮蔽部材と保持手段との間に、肘掛け基板を挾んだ状態で、前後方向に離間した２箇所で、肘掛け基板を上下方向に貫通するガイド突部と上向突片とをもって遮蔽部材と保持手段と連係してあるので、肘掛け基板を前後方向に円滑に案内することができるとともに、肘掛けの支持強度を高めることができる。
【００１６】
(５)  上記(４)項において、肘掛け基板におけるスリットを、開口部から前後方向に連続して設け、かつ上向突片をガイド突部の一端に連設し、上向突片の先端部を保持手段の一部と連係する。
【００１７】
このような構成によると、上向突片とガイド突部とを、一旦肘掛け基板における開口部に嵌合した後、肘掛け基板と遮蔽部材とを前後方向に相対的にスライドさせて、上向突片をスリットに円滑に案内することができ、肘掛けの各部品の組み付け性をよくすることができる。
また、上向突片と保持手段との連係箇所を、ガイド突部から離間させることができるので、肘掛け基板の支持の安定性を高めることができる。
【発明の効果】
【００１８】
本発明によると、簡単な構成で、肘掛けを互いに交差する２方向に移動することができ、かつ肘掛けが移動可能範囲のどの位置にあるときにも、肘掛けの下方における開口部全体を確実に遮蔽部材により閉塞することができ、かつ遮蔽部材が肘掛けの外側方にはみ出すのを防止しうるよにした椅子の肘掛け装置を提供することができる。
【図面の簡単な説明】
【００１９】
【図１】本発明の肘掛け装置の一実施形態を備える椅子の斜視図である。
【図２】背凭れ支持杆の一部と肘掛け装置との分解斜視図である。
【図３】肘掛け装置における肘掛け支柱を、その中心軸線を含む垂直面で切断した拡大縦断側面図である。
【図４】図３のIV−IV線断面図である。
【図５】回動杆を、図２における向きと逆方向から見た斜視図である。
【図６】図３のVI−VI線断面図である。
【図７】図３のVII−VII線断面図である。
【図８】肘掛けの中央縦断側面図である。
【図９】肘当てを取り外して示す肘掛け装置の組立て斜視図である。
【図１０】肘当てを取り外した状態の肘掛けの平面図である。
【図１１】図１０のXI−XI線拡大縦断正面図である。
【図１２】同じく、XII−XII線拡大縦断正面図である。
【図１３】肘掛けを前方に移動したときの平面図である。
【図１４】同じく、外側方に移動したときの平面図である。
【図１５】同じく、反時計方向に回動したときの平面図である。
【図１６】肘掛けの変形例の分解斜視図である。
【発明を実施するための形態】
【００２０】
以下、本発明の肘掛け装置の一実施形態を備える椅子について、図面を参照して説明する。
図１に示すように、この椅子は、先端にキャスタ１を設けた放射状に延びる５本の脚２の中央に支柱３を立設し、この支柱３の上端に、座４および背凭れ５を支持する支基６を設けたものよりなっている。
【００２１】
背凭れ５は、側面視ほぼＬ字状をなす左右１対の背凭れ支持杆(その一方のみを図示する)７における後部の起立部７ａをもって支持され、両背凭れ支持杆７における上記起立部７ａの下端より前方を向く前向部７ｂの前端部は、支基６を左右方向に貫通する枢軸８の両端部に固着されている。
【００２２】
支基６内には、枢軸８を介して、背凭れ支持杆７を、背凭れ５が起立する方向に向かって付勢する付勢手段が設けられているが、それは、本発明には直接関係しないので、図示および詳細な説明は省略する。
【００２３】
背凭れ支持杆７の前向部７ｂにおける枢軸８より若干後方の部分に設けた上向突片７ｃの上端部は、座４の後下部と左右方向を向く軸(図示略)をもって連結されている。
【００２４】
座４の前下部は、後下方に向かって傾斜する支基６の前部上面６ａに沿って前後方向に摺動しうるように、支基に装着されている。
したがって、座４は、背凭れ５が後傾するのに伴って、後部が後下方に移動し、かつ前部が支基６の前部上面６ａに沿って後下方に移動するようになっている。
【００２５】
図１〜図４に示すように、背凭れ支持杆７の前向部７ｂにおける上向突片７ｃよりさらに後方で、かつ前向部７ｂの前後方向の中間部には、肘掛け装置９が装着されている。
【００２６】
肘掛け装置９は、肘掛け支柱１０とその上端に取り付けられた肘掛け１１とからなっている。
肘掛け支柱１０は、上下方向を向く起立部１２ａの下端より内側方よりわずかに下方を向く内向部１２ｂが連設されることにより正面視ほぼＬ字状をなす下部支持杆１２と、その起立部１２ａに、高さ調節装置１３をもって、高さ調節能として装着された上部支持筒１４とからなっており、肘掛け１１は、上部支持筒１４の上端に取り付けられている。
【００２７】
下部支持杆１２における内向部１２ｂは、前後方向に長い楕円形断面をなして、内方に向かって漸次拡開し、その内端面には、側面形が前後方向に長い長円形または楕円形をなし、平面形が中央に縦溝１５ａを有する二股状をなす内向突部１５が形成されている。
【００２８】
下部支持杆１２の内向部１２ｂの下面における外端部から内端近くにかけては、後述するボルト１９の頭部１９ａを挿入し易くするための凹部１６が形成されている。
また、内向部１２ｂ内には、内向突部１５における縦溝１５ａの中央と整合する左右方向を向くボルト挿通孔１７が設けられている。
【００２９】
背凭れ支持杆７の前向部７ｂにおける上向突片７ｃよりさらに後方の下部支持杆１２取付部には、内向突部１５と補形をなす凹部１８が設けられており、内向突部１５の縦溝１５ａに嵌合する上下方向を向く突条１８ａの外端面には、雌ねじ孔１９が設けられている。
【００３０】
下部支持杆１２は、その内向部１２ｂの内端面が背凭れ支持杆７の前向部７ｂの外側面に当接するようにして、内向突部１５を凹部１８に嵌合し、ボルト２０の頭部２０ａが凹部１２内に位置するようにして、ボルト２０の軸部２０ｂをボルト挿通孔１７に挿通し、かつボルト２０の雄ねじ部２０ｃを、背凭れ支持杆７の前向部７ｂにおける雌ねじ孔１９に螺合して締め付けることにより、背凭れ支持杆７に、前後左右に位置ずれすることなく、強固に固着され、下部支持杆１２の起立部１２ａは、座４の側方において起立している。
【００３１】
下部支持杆１２の起立部１２ａの外形は、前後方向に長い楕円形断面をなし、その上端に、凹入段部２１が形成されることにより、起立部１２ａの上端部は筒状をなしている。
凹入段部２１の底面２１ａの中央には、起立部１２ａの下端部まで至る凹孔２１ｂが設けられている。
【００３２】
下部支持杆１２の起立部１２ａの上部前面には、凹入段部２１に連通する方形の窓孔２２が設けられている。
また、下部支持杆１２の起立部１２ａの上部における両側部には、前後１対の係合孔２３、２３が設けられている。
【００３３】
下部支持杆１２の起立部１２ａの上端部には、中央に上下方向を向く挿通孔２４が設けられた閉塞板２５の下面に、左右１対の垂下側片２６、２６が設けられたエンドキャップ２７が、垂下側片２６、２６が凹入段部２１内に嵌合し、かつ閉塞板２５の下面が起立部１２ａの上端面に当接するようにして装着されている。
【００３４】
エンドキャップ２７が下部支持杆１２の起立部１２ａの上端部に装着された状態において、下部支持杆１２の起立部１２ａの上端部における左右に対応する係合孔２３、２３と、それらに整合するように左右の垂下側片２６、２６に設けられた係合孔２８、２８とには、左右方向を向くピン２９が嵌合され、エンドキャップ２７は、下部支持杆１２の起立部１２ａの上端部から抜け止めされている。
【００３５】
下部支持杆１２の起立部１２ａの上端部における凹入段部２１の底面２１ａと、エンドキャップ２７における閉塞板２５の下面と、左右の両垂下側片２６、２６とにより囲まれた空間内には、ロック部材３０が、前後方向に摺動可能として嵌合されている。
【００３６】
図２〜図４、および図６に示すように、ロック部材３０は、中央部に、上下方向を向き、かつ前後方向に長い長円形の挿通孔３１が設けられたほぼ長円筒形の胴部３０ａの前端に、下部支持杆１２の起立部１２ａの上端部における窓孔２２を通って起立部１２ａの前面より進退しうるようにした係合突部３０ｂが設けられ、挿通孔３１の内面における左右いずれかに、内方を向く突部３０ｃが設けられ、さらに、胴部３０ａの後面に、ばね受け用突部３０ｄが設けられたものよりなっている。係合突部３０ｂの下面は、前上方を向く傾斜面をなしている。
【００３７】
ロック部材３０の胴部３０ａの後面と、下部支持杆１２の起立部１２ａの上端部における凹入段部２１内の後壁部分の前面との間には、前後方向を向く付勢手段である圧縮コイルばね３２が、その前端部がばね受け用突部３０ｄに嵌合するようにして縮設されている。
【００３８】
ロック部材３０は、この圧縮コイルばね３２により、前方に向けて付勢され、常時は、係合突部３０ｂが窓孔２２を通って起立部１２ａの前面より突出するロック位置に位置しているが、後述する回動杆４０によって、後方に向けて押動されることにより、係合突部３０ｂが窓孔２２内に没入するアンロック位置に移動しうるようになっている。
【００３９】
上部支持筒１４は、前後方向に長い楕円形の筒状をなし、上端部に、上方に向かって拡開し、特に前方に向かって長く張り出す拡大部１４ａを備えている。拡大部１４ａの前部には、後述する操作レバー４３の一部が挿通する窓孔３３が設けられている。また、上部支持筒１４の下端部には、内向鍔部１４ｂが設けられている。さらに、拡大部１４ａの上面には、浅い凹入段部１４ｃが形成されている。
【００４０】
上部支持筒１４内には、下部支持杆１２の起立部１２ａに上下方向に摺動可能として外嵌された内筒体３４が内嵌されている。
内筒体３４の上部には、それより下方の部分よりわずかに拡大する拡大段部３４ａが形成されており、その内部の凹入段部３５の底壁３５ａの中央には、後述する回動杆４０が挿通する挿通孔３６が設けられている。
【００４１】
拡大段部３４ａの前面には、操作レバー４３の一部が前後方向に挿通する縦溝３７が設けられ、その後方における凹入段部３５の左右の内側面に設けた上下方向を向くリブ３５ｂ、３５ｂの内側面には、操作レバー４３の枢軸４４を受支する、上端が開口するＵ字状溝３８、３８が設けられている。
【００４２】
内筒体３４における拡大段部３４ａより下方の部分における前面には、複数の方形の係合孔３９が、上下方向に並べて設けられている。各係合孔３９の下縁は、後下方を向く傾斜面をなしている。
【００４３】
回動杆４０は、上部支持筒１４および内筒体３４と同芯をなす円柱状の軸部４０ａの上端に大径の円板部４０ｂを連設し、さらにその上に半円弧状とした被操作部４０ｃを連設したものよりなり、図５に示すように、軸部４０ａの外周面には、円板部４０ｂの直下から軸部４０ａの下端近傍まで至る上下方向の縦溝４１ａと、縦溝４１ａの下端部より軸部４０ａの円周方向を向く横溝４１ｂと、横溝４１ｂにおける縦溝４１ａとの連設端部と反対側の端部から軸部４１ａの下端までに至る上下方向の縦溝４１ｃとからなるクランク状の凹溝４１が設けられている。
【００４４】
被操作部４０ｃにおける半円弧の弦となる平削面は、回動杆４０の中心軸線と平行をなし、後述する操作レバー４３の作動部４３ｂが当接する当接面４０ｄをなしている。
【００４５】
回動杆４０は、円板部４０ｂの下面が、内筒体３４の底壁３５ａの上面に当接し、かつ縦溝４１ａにロック部材３０の突部３０ｃが遊嵌するようにして、軸部４０ａが、内筒体３４の底壁３５ａの挿通孔３６と、エンドキャップ２７における閉塞板２５の挿通孔２４と、ロック部材３０の挿通孔３１とを通って、下部支持杆１２の起立部１２ａにおける凹孔２１ｂ内に回動可能として挿入されている。
【００４６】
回動杆４０における縦溝４１ａと、ロック部材３０における突部３０ｃとにより、回動杆４０の一方向への回動により、ロック部材３０をアンロック位置方向へ移動させるように、回動杆４０とロック部材３０とを連係する連係機構４２が形成されている。
【００４７】
すなわち、図６に示すように、ロック部材３０がロック位置に位置している状態から、回動杆４０を、図６における時計回りに回動させると、縦溝４１ａの前方に位置する側面が作動部をなして、突部３０ｃを後方に押動し、それによって、ロック部材３０は、圧縮コイルばね３２の付勢力に抗して、後方に移動させられ、アンロック位置となる。
【００４８】
上述のように、凹溝４１をクランク状としたのは、肘掛け１１とともに上部支持筒１４を上限まで持ち上げた際に、ロック部材３０の突部３０ｃが縦溝４１ａの下端に当接して、上部支持筒１４のそれ以上の上昇を阻止するためと、回動杆４０を、挿入途中で中心軸線回りに若干回動させることにより、下部支持杆１２の起立部１２ａ内に出し入れできるようにするためである。
【００４９】
操作レバー４３は、前後方向の中間部を左右方向に貫通する枢軸４３の両端部を、内筒体３４における左右のＵ字状溝３８、３８内に上方より落とし込むことにより、内筒体３４の凹入段部３５内に枢着され、前部の操作部４３ａが、内筒体３４の縦溝３７、および上部支持筒１４の窓孔３３を通って、窓孔３３より下方に向かって突出している。
【００５０】
操作レバー４３における枢軸４３より後方の作動部４３ｂは、側面視下向きフック状をなして後方に突出するとともに、先端部が回動杆４０の中心軸線より側方に偏倚し、図７に示すように、回動杆４０の被操作部４０ｃにおける当接面４０ｄの偏心部に後方より当接するようになっている。
【００５１】
上部支持筒１４の上端における凹入段部１４ｃには、閉塞部材４５が嵌合され、かつ、止めねじ４６をもって固着されている。閉塞部材４５の上面におけるほぼ中央部には、上向突部４７が突設されており、これをもって、閉塞部材４５上に、肘掛け１１が装着されている。
閉塞部材４５の上面および上部支持筒１４の上端面は、肘掛け１１を支持する受支面をなし、かつ上向突部４７は、受支面より上方に突出する肘掛け支柱１０の上端部をなしている。
【００５２】
内筒体３４は、この閉塞部材４５と上部支持筒１４の内向鍔部１４ｂとにより上下から挟まれることによって、上部支持筒１４から外れ止めされ、かつ楕円形の上部支持筒１４内に密接状態で内嵌されることにより、上部支持筒１４に対して回り止めされている。
【００５３】
また、回動杆４０や操作レバー４３も、閉塞部材４５によって、上部支持筒１４および内筒体３４から外れ止めされている。
【００５４】
普段は、ロック部材３０は、圧縮コイルばね３２の付勢力により前方に向けて付勢され、係合突部３０ｂが内筒体３４のいずれかの係合孔３９に係合したロック位置に位置していることにより、内筒体３４と、それと一体の上部支持筒１４および肘掛け１１は、適宜の高さに保持されている。
【００５５】
この状態から、肘掛け１１の高さを変更したいときは、操作レバー４３の操作部４３ａを、圧縮コイルばね３２の付勢力に抗して、上向きに押し上げる。
すると、枢軸４４を中心として、操作レバー４３の作動部４３ｂが下向きに回動し、その先端で、回動杆４０の被操作部４０ｃにおける当接面４０ｄの偏心部を前方に押動し、それによって、回動杆４０は、図７および図６における時計回りに回動させられ、縦溝４１ａの前方の内側面である作動部によって、ロック部材３０の突部３０ｃを後方に押動し、それによって、ロック部材３０は、圧縮コイルばね３２の付勢力に抗して、後方に移動させられ、アンロック位置となる。
【００５６】
ロック部材３０がアンロック位置まで後退させられると、ロック部材３０の係合突部３０ｂが、それまで嵌合していた内筒体３４の係合孔３９から離脱し、肘掛け１１および上部支持筒１４は、下部支持杆１２の起立部１２ａに対して上下方向に自由に移動できるようになる。
【００５７】
肘掛け１１を所望の高さまで移動させた後、操作レバー４３の操作部４３ａから手を離すと、ロック部材３０は、圧縮コイルばね３２の付勢力により、前方に向けて押動され、ロック部材３０の係合突部３０ｂは、内筒体３４のいずれかの係合孔３９に嵌合するか、または先端が内筒体３４の内面に当接して停止させられる。
【００５８】
後者の場合は、その後肘掛け１１を上方または下方のいずれかにわずかに移動させるだけで、係合突部３０ｂは、最も近い係合孔３９に嵌合する。
【００５９】
ロック部材３０の係合突部３０ｂが、内筒体３４のいずれかの係合孔３９に嵌合し、ロック部材３０がロック位置で停止すると、内筒体３４と、それと一体の上部支持筒１４および肘掛け１１は、そのときの高さに保持される。
【００６０】
また、肘掛け１１を上方に引き上げたいときは、肘掛け１１を上方に持ち上げるだけでよい。このときの内筒体３４の上昇により、ロック部材３０の係合突部３０ｂが係合している係合孔３９の下縁の傾斜面が、係合突部３０ｂの下縁の傾斜面を後方に向かって押動し、ロック部材３０を、圧縮コイルばね３２の付勢力に抗して、アンロック位置まで移動させ、係合突部３０ｂが、それまで係合していた係合孔３９の次段の係合孔３９に係合すると、ロック部材３０は、圧縮コイルばね３２の付勢力により、再度ロック位置まで移動させられ、その後、同じ動作を繰り返すことにより、肘掛け１１を、係合孔３９の一段ずつ上昇させることができる。
【００６１】
肘掛け１１が上限に達すると、ロック部材３０の突部３０ｃが、凹溝４１における縦溝４１ａの下端に当接して、肘掛け１１のそれ以上の上昇が阻止される。
【００６２】
この肘掛け装置９においては、回動杆４０は、肘掛け１１とともに、ロック部材３０に対して上下方向に移動するだけで、回動杆４０とロック部材３０と連係機構４２との関係は何ら変動することはないので、肘掛け１１がどのような高さに位置していても、常に同一の条件で、軽快にロックおよびロック解除操作することができる。
しかも、回動杆４０とロック部材３０と連係機構４２との関係が変動することがないので、誤操作および誤作動のおそれを少なくすることができる。
また、肘掛けの移動ストロークを大としても、肘掛け全体の上下方向の長さを大とする必要がないので、肘掛け装置全体の小型化、および材料費の削減を図ることができるとともに、椅子への肘掛け装置の取付位置の自由度を増すことができる。
【００６３】
以上の構成のうち、下部支持杆１２が什器における支持体をなし、上部支持筒１４が、上記支持体に、上下方向に移動可能として装着された移動部材をなし、内筒体３４が、移動部材である上部支持筒１４に固着され、かつ上下方向に複数の係合孔３９とした係合部が設けられた上下方向を向くガイド部材をなし、それらと、ロック部材３０、圧縮コイルばね３２とした付勢手段、回動杆４０、連係機構４２、および操作レバー４３とにより、什器における高さ調節装置が形成されている。
【００６４】
すなわち、この実施形態においては、高さ調節装置１３を、椅子の肘掛け装置９における肘掛け１１を、下部支持杆１２に対して高さ調節可能とするためのものとしてあるが、本発明は、これに限定されるものではなく、什器全般において、支持体に対して上下方向に移動可能とした移動部材の高さ調節装置として、広く適用することができる。
【００６５】
次に、肘掛け装置９における肘掛け１１の構成を詳細に説明する。
図２および図８〜図１２に示すように、肘掛け１１は、上述した閉塞部材４５により支持された遮蔽部材を兼ねる肘掛け支持板５０と、この肘掛け支持板５０により支持された肘掛け基板５１と、この肘掛け支持板５０および肘掛け基板５１を、水平方向に移動可能かつ上方に移動不能として肘掛け支柱１０の上端面との間に挾持する保持手段７１と、この保持手段７１と肘掛け基板５１の上面を覆うようにして、肘掛け基板５１に装着した、エラストマー等よりなる肘当て５２とを備えている。受支面である閉塞部材４５の上面より起立し、かつ肘掛け支柱１０の上端部をなす上述の上向突部４７は、パイプよりなり、その下端部を閉塞部材４５に穿設された貫通孔５３に圧嵌するか、または溶接等により固着することにより、閉塞部材４５の上面に突設されている。上向突部４７の上端には、四角ナット５４が、溶接等により固着されている。
【００６６】
肘掛け支持板５０は、前後寸法が、上部支持筒１４の上面の前後方向の長さよりも十分に大きく、かつ左右寸法が、肘掛け基板５１の幅とほぼ同等の前後方向に長い概ね長方形をなす閉塞板５０ａを有し、この閉塞板５０ａの中央部の上面には、肘掛け基板５１を、第２方向である前後方向に案内するためのガイド突部５５が、一体的に上向きに突設されている。このガイド突部５５は、左右幅が閉塞部材４５の左右寸法とほぼ等しく、かつ上下寸法が肘掛け基板５１の底面板５１ａの厚さとほぼ等しい平面視概ね方形をなし、両側面には、互いに平行な前後方向に長い摺接面５５ａ、５５ａを有している。
【００６７】
ガイド突部５５の中央部には、左右方向を向く長孔５６が、上下に貫通させて形成され、長孔５６の上面の開口縁には、短寸の縁片５７が上向きに突設されている。
ガイド突部５５の長孔５６を閉塞部材４５の上向突部４７に遊嵌することにより、肘掛け支持板５０は、左右方向に移動可能かつ上向突部４７回りに水平回動可能として、上部支持筒１４の上端の閉塞部材４５の上面により支持されている。なお、長孔５６を上向突部４７に遊嵌した際、四角ナット５４を含む上向突部４７の上端部が、ガイド突部５５の上面より若干突出するようになっている。また、長孔５６の左右方向の長さは、上向突部４７が長孔５６の端部に当接する限界位置まで肘掛け支持板５０が移動したときでも、長孔５６が肘掛け支柱１０の上端より側方に突出しないように定めてある。
【００６８】
ガイド突部５５の前方において、肘掛け支持板５０の左右方向の中央部上面には、後述する下部保持部材６７を連結するための前後方向を向く上向突片５８が、上向きに突設され、上向突片５８の後端はガイド突部５５の前面に連結されている。上向突片５８の前部の上下寸法は、後部よりも大とされ、その部分の上向突片５８の上半部には、その板厚よりも大径をなすとともに、上下方向のめねじ孔５９を有する軸状の拡幅部５８ａが形成されている。
【００６９】
肘掛け基板５１は、平面形が前後方向に長い概ね長方形をなし、その底面板５１ａの周縁部の上面には、斜め外上方に拡開する突縁６０と、その内方において起立する、突縁６０よりも長寸の起立片６１とが突設されている。起立片６１における前部と後部の左右の対向面同士は、底面板５１ａの上面より起立する左右方向を向くリブ６２、６２により連結されている。
【００７０】
肘掛け基板５１における底面板５１ａの中央部、すなわち、前後のリブ６２と左右に対向する起立片６１により囲まれた部分の底面板５１ａには、上記ガイド突部５５に設けた長孔５６と直交する前後方向を向く広幅の開口部６３が形成されている。この開口部６３は、平面視ほぼ長方形をなし、左右の対向面は、上述したガイド突部５５の左右のガイド面５３ａが摺接する１対の被ガイド面６３ａ、６３ａとされている。
開口部６３は、肘掛け支持板５０により常に閉塞されるようになっている。すなわち、肘掛け支持板５０の前後および左右寸法は、後述するように、肘掛け１１を、前後左右方向に最大限移動させた際でも、開口部６３が肘掛け支持板５０により閉塞される大きさとされ、開口部６３に指や異物が入り込まないようにしてある。
【００７１】
肘掛け基板５１の開口部６３を、肘掛け支持板５０のガイド突部５５に嵌合すると、ガイド突部５５の左右のガイド面５５ａが、開口部６３の左右の被ガイド面６３ａに摺接することにより、肘掛け基板５１は、肘掛け支持板５０の上面に、左右方向に移動不能かつ回動不能として、すなわち、前後方向にのみ相対移動可能として支持されている。これにより、肘掛け基板５１は、肘掛け支持板５０と共に、第１方向である左右方向に移動するとともに、水平回動しうるようになっている。なお、開口部６３をガイド突部５５に嵌合させた際、ガイド突部５５の上面と肘掛け基板５１の底面板５１ａの上面とは同一面に整合するようになっている。
【００７２】
開口部６３の前方において、肘掛け基板５１の底面板５１ａの左右方向の中央部には、後端が開口部６３の前端に連通するとともに、前端が前部のリブ６２付近に至る長さの前後方向を向くスリット６４が、上下に貫通させて形成されている。このスリット６４は、肘掛け基板５１を肘掛け支持板５０に載置する際に、肘掛け支持板５０の上向突片５８の下半部に、拡幅部５８ａがスリット６４の上方に突出するようにして、前後方向に摺動可能に嵌合されるようになっている。
【００７３】
前後のリブ６２、６２間において、左右に対向する起立片６１、６１の下部により内方に突出する内向き段部の互いに対向する内側面には、前後方向を向く左右１対の被ガイド面６５、６５が形成されている。被ガイド面６５、６５の後半部の左右に対向する内側面には、外側方に凹入する前後複数の係合溝６６が形成されている。
【００７４】
肘掛け基板５１の底面板５１ａの中央部上面には、下部保持部材６７と、上部保持部材６８と、それらを上方から押さえる固定部材６９およびボルト７０とからなる保持手段７１が装着されている。
肘掛け基板５１の底面板５１ａの中央部上面、すなわち前後のリブ６２と左右に対向する起立片６１により囲まれた内方の凹部内において、底面板５１ａの上面には、肘掛け支持板５０とにより、肘掛け基板５１を前後左右方向に相対移動可能に挟持する、上記の下部保持部材６７が、前後方向に移動可能に収容されている。この下部保持部材６７は、前後寸法が前後のリブ６２、６２間の寸法よりも所要寸法小さく、かつ左右寸法を、左右に対向する起立片６１間の離間寸法とほぼ同等とすることにより、肘掛け基板５１の底面板５１ａの上面を前後方向にのみ相対移動しうるようになっている。
【００７５】
下部保持部材６７の底面板６７ａの中央部には、肘掛け基板５１の開口部６３と直交する左右方向に長い嵌合孔７２が形成され、下部保持部材６７は、この嵌合孔７２を、肘掛け支持板５０におけるガイド突部５５の縁片５７に嵌合させて、肘掛け基板５１の底面板５１ａの上面に載置されている。このように、下部保持部材６７の嵌合孔７２を、ガイド突部５５の縁片５７に嵌合させると、肘掛け支持板５０と下部保持部材６７との位置決めが容易になるとともに、それらの相対移動が防止される。
【００７６】
図２および図１２に示すように、下部保持部材６７の底面板６７ａの左右両側縁には、正面視倒立Ｌ字状断面をなす前後方向のガイド部７３、７３が、上向きに連設され、両ガイド部７３は、肘掛け基板５１の左右の被ガイド面６５、６５の上面と内側面に、前後方向に相対移動可能に摺接している。
底面板６７ａの前部には、下端が底面板６７ａの前端に接続され、かつ左右両側端が左右のガイド部７３の前端上部の対向面に接続された前向片６７ｂが連設され、この前向片６７ｂの左右方向の中央部は、肘掛け支持板５０の上向突片５８の拡幅部５８ａの上端に、ねじ７４により連結されている(図８参照)。
なお、前向片６７ｂを、肘掛け支持板５０の上向突片５８にねじ止めすると、肘掛け支持板５０と肘掛け基板５１と下部保持部材６７とを、予め組付けておける利点があるが、下部保持部材６７は、後述するように、上部保持部材６８と固定部材６９により保持されるので、上向突片５８や前向片６７ｂは省略することもある。
【００７７】
図１１に示すように、左右のガイド部７３の後端部には、下向きの弾性係合片７５が、左右の被ガイド面６５と対向するようにして連設され、両弾性係合片７５の外側面には、被ガイド面６５の後半部の係合溝６６に選択的に係合する係合突部７５ａが突設されている。
【００７８】
図２、図９、および図１０に示すように、下部保持部材６７の底面板６７ａにおける前向片６７ｂと近接する前部と後端部の上面には、左右方向を向く前後１対のガイド片７６、７６が、嵌合孔７２を挟んで対向するように立設され、両ガイド片７６の両側端は、左右のガイド部７３の対向面に接続されている。前部のガイド片７６の前面には、後方に凹入する左右複数の係合溝７７が、後部のガイド片７６の後面には、前方に凹入する左右複数の係合溝７７が、それぞれ形成されている。
【００７９】
下部保持部材６７における左右のガイド部７３と前後のガイド片７６とにより囲まれた底面板６７ａの上面には、左右方向を向いて互いに平行をなす前後複数(この例では４本)の突条７８が突設されている。
【００８０】
下部保持部材６７における左右のガイド部７３と前後のガイド片７６とにより囲まれた内方の凹部内には、上述した上部保持部材６８が、前後方向に移動不能として収容されている。この上部保持部材６８の前後寸法は、下部保持部材６７の前後のガイド片７６の対向面に摺接する寸法とされ、また左右寸法は、左右のガイド片７６間において左右方向に相対移動しうるように、両ガイド片７６の離間寸法よりも小としてある。これにより、上部保持部材６８は、下部保持部材６７に対して左右方向に相対移動可能、かつ相対回動不能となっている。なお、上部保持部材６８の下面は、下部保持部材６７の底面板６７ａに突設した複数の突条７８上に載置され、下部保持部材６７と上部保持部材６８との互いの接触面積を小さくすることにより、下部保持部材６７に対し上部保持部材６８が左右方向に相対移動する際の摺動摩擦抵抗が小さくなるようにしてある。
【００８１】
図９〜図１１に示すように、上部保持部材６８の前後縁における左右方向の中央部には、下部保持部材６７の前後のガイド片７６、７６に上方より係合される下向き鉤形の弾性係合片７９、７９が前後外向きに突設され、上部保持部材６８の前後の端面と各弾性係合片７９とにより各ガイド片７６を挟むことにより、上部保持部材６８は下部保持部材６７に対して、左右方向に円滑に摺動しうるようになっている。
各弾性係合片７９は、外方に弾性変形可能としてあり、その内面に設けた係合突部８０を、前後のガイド片７６における複数の係合溝７７に選択的に弾性係合させることにより、上部保持部材６８は、下部保持部材６７に対して、左右方向に節度感をもって、かつ段階的に安定よく移動しうるようになっている。
【００８２】
上部保持部材６８の中央部下面には、肘掛け支持板５０の長孔５６の前後幅とほぼ等しい外径の筒状の嵌合突部８１が、下向きに突設され、この嵌合突部８１を、長孔５６に摺動可能に嵌合するとともに、閉塞部材４５の上向突部４７に回動可能に嵌合することにより、上部保持部材６８は、下部保持部材６７の底面板６７ａの上面に、下部保持部材６７に対して左右方向に相対移動可能、かつ閉塞部材４５に対しては相対回動可能として載置されている。なお、嵌合突部８１は、閉塞部材４５と上部保持部材６８間の上下寸法を一定に保持するスペーサとしての機能を有し、嵌合突部８１の下端を閉塞部材４５の上面に当接させることにより、下部保持部材６７の底面板６７ａの上面に、上部保持部材６８の下面が強く当接しないようにしてある。このように、嵌合突部８１の下端を閉塞部材４５の上面に当接させて、上向突部４７に嵌合突部８１を嵌合すると、上向突部４７が補強されて曲げ剛性が大となるので、肘掛け支柱１０の上端による肘掛け１１の支持強度を高めることができる。
【００８３】
上部保持部材６８の中央部上面に形成された平面視円形の凹部８２には、上述した円形の固定部材６９が、相対回動可能に収容されている。固定部材６９の中央部下面には、円形突部６９ａが下向きに突設され、この円形突部６９ａは、凹部８２の上面に形成された段付嵌合孔８３の拡径部に、相対回動可能に嵌合されている(図１２参照)。
固定部材６９の後面上部には、突片６９ｂが後向きに突設され、この突片６９ｂは、上部保持部材６８の後部上面に形成された段部８４の上面に摺動可能に当接している。
【００８４】
固定部材６９は、その中心に穿設された上下方向の段付き貫通孔８５に、上述した挿入したボルト７０を挿入して、閉塞部材４５の上向突部４７の四角ナット５４に上方より螺合することにより、肘掛け支持板５０、肘掛け基板５１、下部保持部材６７および上部保持部材６８を、順次上方から閉塞部材４５の上面に押し付けるようにして、上部保持部材６８の凹部８２内において、上向突部４７の上端に固着されている。この際、固定部材６９の下面が上部保持部材６８の上面に強く当接しないように、すなわち、固定部材６９に対し上部保持部材６８が相対回動しうるように、上向突部４７の四角ナット５４に固定されている。
【００８５】
固定部材６９の前部に形成された扇状の厚肉部８６の前面には、上下方向を向く係合溝８７が、円周方向に沿って複数形成されている。厚肉部８６と対向する下部保持部材６７の前部には、上面と後面が開口する上下方向を向く角孔８８が形成され、この角孔８８には、ゴム等の弾性体８９が嵌合されている。この弾性体８９の左右方向の中央部後面と、係合溝８７との対向面間には、上下方向を向く係止ピン９０が、弾性体８９により後方に付勢されるようにして挟入され、この係止ピン９０が、複数の係合溝８７と選択的に弾性係合することにより、上部保持部材６８を含む肘掛け１１全体を、固定部材６９回りに、適宜の抵抗力を付与した状態で、かつ節度感をもって所定の角度だけ回動させうるようになっている。なお、上記係合溝８７を有する固定部材６９、上部保持部材６８の角孔８８に挿入した弾性体８９、および係止ピン９０により、肘掛け１１の水平回動に抵抗力を付与する抵抗力付与手段を構成している。
【００８６】
以上説明した肘掛け装置において、肘掛け１１の前後方向の位置調節は、次のようにして行うことができる。
図１３は、図１０に示す後限に位置している肘当て５２を、前限まで移動させた例を示すもので(肘当ては図示略)、この際には、肘当て５２を手で掴んで前方に押動させればよい。すると、閉塞部材４５の上向突部４７に前後方向に移動不能に嵌合された肘掛け支持板５０、肘掛け基板５１の上面において肘掛け支持板５０に前後方向に移動不能に連結された下部保持部材６７、下部保持部材６７の上面に前後方向に移動不能に取付けられた上部保持部材６８、および閉塞部材４５の上向突部４７にねじ止めされた固定部材６９に対し、肘掛け基板５１および肘当て５２のみが前方に相対的に移動する。
【００８７】
肘掛け基板５１が前方に移動すると、下部保持部材６７の後端部の左右１対の弾性係合片７５、７５が、肘掛け基板５１における左右１対の被ガイド面６５、６５の後部に設けた前後方向の複数の係合溝６６と係脱しながら、被ガイド面６５に沿って相対的に後方に移動することにより、肘掛け基板５１は、節度感をもって前限位置まで移動する。
この際、上述したように、肘掛け支持板５０の前後左右寸法を、肘掛け基板５１の開口部６３が常に閉塞される大きさとしてあるので、肘掛け基板５１を前後限位置まで移動させても、開口部６３に指や異物が入り込む恐れはない。
なお、肘掛け基板５１の前後位置は、係合溝６６の数だけ段階的に調節しうるので、任意の中間位置に調節することもできる。
【００８８】
図１４は、肘当て５２を左右方向、すなわち外側方に平行移動させて左右方向の位置を調節した例を示すもので、この際には、上述したように、肘掛け支持板５０と肘掛け基板５１と下部保持部材６７とが、上部保持部材６８に対し外側方に相対移動するので、上部保持部材６８の前後１対の弾性係合片７９が、下部保持部材６７の前後１対のガイド片７６に沿って内側方に平行移動する。これにより、前後の弾性係合片７９の係合突部８０が、前後のガイド片７６に設けた複数の係合溝７７に選択的に係合することにより、肘当て５２の左右位置の調節を、段階的に、かつ節度感をもって行うことができる。
【００８９】
この際、上述したように、肘掛け基板５３の開口部６３は、肘掛け支持板５０のガイド突部５５に、左右方向に相対移動不能に嵌合されているので、肘掛け支持板５０は、肘掛け基板５１と共に左右方向に移動する。従って、肘当て５２を左右方向に最大限移動させても、肘掛け基板５１の開口部６３が外部に露出することはなく、開口部６３に指や異物が入り込む恐れはない。
また、肘掛け支持板５０と肘掛け基板５１との左右方向の位置関係は変わらないので、肘掛け支持板５０により、肘当て５２を安定よく支持することができるとともに、肘掛け支持板５０と肘掛け基板５１とが相対的に摺動しないので、互いの当接面の摩耗を防止することができる。
【００９０】
図１５は、肘当て５２を、肘掛け支柱１０に対し平面視反時計方向に回動し、左右方向の向きを調節した例を示すもので、この際には、固定部材６９に対し、肘掛け支持板５０、肘掛け基板５１、下部保持部材６７および上部保持部材６８が相対的に回動する。
固定部材６９に対し上部保持部材６８が相対的に回動すると、下部保持部材６７の角孔８８に嵌合された弾性体８９により後方に付勢されている係止ピン９０が弾性係合する係合溝８７が順次１個ずつ変動し、肘当て５２の左右方向の向きが調節される。この調節は、係合溝８７の数だけ段階的に、かつ節度感をもって行うことができる。この際、肘掛け基板５１の開口部６３に、肘掛け支持板５０のガイド突部５５が、相対回動不能として嵌合されているので、肘掛け支持板５０は、肘掛け基板５１と共に回動する。従って、肘当て５２の左右方向の向きを調節しても、開口部６３が外部に露出することはなく、開口部６３に指や異物が入り込む恐れはない。また、上記と同様に、肘掛け支持板５０と肘掛け基板５１との左右方向の位置関係は変わらないので、肘当て５２を安定よく支持することができるとともに、互いの当接面の摩耗を防止することができる。
【００９１】
以上説明したように、上記実施形態の肘掛け装置においては、肘掛け支柱１０の上端である上部支持筒１４の上端部に固定した閉塞部材４５の上面と、肘掛け基板５１との間に、肘掛け基板５１を支持する前後および左右寸法の大きな肘掛け支持板５０を設け、この肘掛け支持板５０の上面に突設した広幅のガイド突部５５を、肘掛け基板５１に設けた広幅の前後方向を向く開口部６３に、前後方向に相対移動可能、左右方向に相対移動不能かつ相対回動不能として嵌合してあるので、肘当て５２を左右方向に移動させたり、回動させたりしても、肘掛け支持板５０により肘掛け基板５１を広い支持面積で支持することができる。
従って、肘掛け支持板５０を介して、肘当て５２を肘掛け支柱１０により安定よく支持しうるとともに、広幅の開口部６３に嵌合したガイド突部５５により肘掛け基板５１をガイドしながら、肘当て５２を前後方向に安定よく移動させることができる。特に、肘当て５２を水平回動させても、肘掛け基板５１の下面が広く支持されるので、水平回動させた状態で肘当て５２に肘を載せても、これが上下方向にぐらついたり、上向突部４７に曲げ荷重が加わったりする恐れは小さくなる。
【００９２】
また、肘掛け基板５１は、前後左右寸法の大きな肘掛け支持板５０と、それに連結した下部保持部材６７とにより上下から挟持されているので、肘当て５２が上下方向にぐらつくのが防止されるとともに、いずれの方向にも安定よく移動させることができる。しかも、肘掛け支持板５０は、肘掛け基板５１と共に左右方向に移動するとともに、回動して、この肘掛け基板５１の下面を広く支持するので、肘当て５２を前後左右方向に移動させたり、水平回動させた状態で肘を載せても、肘当て５２が上下方向にぐらついたり、上向突部４７に曲げ荷重が加わったりする恐れが小さくなる。
【００９３】
さらに、肘掛け基板５１の凹部内の左右両側部に、開口部６３を挟んで対向する１対の被ガイド面６５を設け、この被ガイド面６５により、下部保持部材６７の左右両側部に設けた１対のガイド部７３を、前後方向に相対移動可能にガイドするようにしているので、肘当て５２を前後方向に安定よく移動させうるとともに、肘掛け基板５１と下部保持部材６７との接触面積および摺動抵抗が小さくなるので、肘当て５２を前後方向に円滑に移動させることができる。また、１対の被ガイド面６５を、肘掛け基板５１の凹部内に設けてあるので、高さが高くなることはない。
【００９４】
上向突部４７は、ガイド突部５５の長孔５６に嵌合され、かつガイド突部５５の上下寸法は、肘掛け基板５１の底面板５１ａの厚さとほぼ等しくしてあり、さらに、下部保持部材６７は、肘掛け基板５１の上面の凹部に、上部保持部材６８は、下部保持部材６７の上面の凹部に、固定部材６９は、下部保持部材６７の上面の凹部８２に、それぞれ収容されているので、保持手段７１を構成する部材を、肘掛け基板５１の上面の凹部内に、下位の部材から順に重ねるだけで、容易に装着しうるとともに、保持手段７１が上下複数の部材よりなるものとしても、保持手段７１の全体の高さを低く抑えることができ、肘掛け基板５１および肘掛け１１全体の上下寸法も小さくすることができる。その結果、肘掛け基板５１や肘当て５２等を成形するための材料費が節約されるとともに、肘掛け装置９の体裁がよくなる。
また、固定部材６９を下部保持部材６７の上面の凹部８２に収容し、固定部材６９の外周面と上部保持部材６８との対向面間に、係合溝８７と弾性体８９と係止ピン９０とからなる、肘掛け１１の抵抗力付与手段を設けているので、この抵抗力付与手段の高さも低く抑えることができる。
【００９５】
肘掛け支柱１０の上向突部４７は、肘掛け支持板５０に突設したガイド突部５５を介して、肘掛け基板５１の開口部６３および下部保持部材６７の嵌合孔７２に間接的に嵌合されているので、肘掛け支柱１０に対し肘当て５２を前後左右方向に移動させたり、回動させたりした際の負荷が、上向突部４７と開口部６３および嵌合孔７２との摺動部に直接加わることがなくなり、それらの接触面の摩耗が抑えられることにより、肘当て５２を長期間に亘り円滑に移動させることができる。
【００９６】
また、肘掛け１１を左右方向に移動させる場合は、肘掛け基板５１と肘掛け支持板５０とが一体に移動するため、肘掛け支持板５０における左右方向の幅を、肘掛け基板５１の開口部６３の左右方向の幅以上、かつ肘掛け基板５１の左右の幅以下の寸法とすることにより、肘掛け１１が左右方向におけるいずれの位置にあっても、肘掛け支持板５０が、肘掛け１１の左右の外側方にはみ出すことがなく、外観を良好に保持することができる。
【００９７】
なお、上記実施形態においては、第１方向及び第２方向を、水平面内において互いに直交する左右方向及び前後方向としたが、第１方向及び第２方向は、直交する二方向に限らず、互いに交差する二方向であれば任意の方向とすることができる。
【００９８】
図１６は、肘掛けの変形例を示す。なお、上記と同一の部分には、同一の符号を付けて、詳細な説明を省略する。
この肘掛け９１は、図１〜図１５(特に図２参照)に示す実施形態の肘掛け１１における第１方向とした左右方向の移動案内機構を、前後方向の移動案内機構として採用し、同じく第２方向とした前後方向の移動案内機構を、左右方向の移動案内機構として採用したものである。したがって、この変形例においても、第１方向は左右方向、第２方向は前後方向とする。
【００９９】
この肘掛け９１は、肘掛け支持板５０に相当する肘掛け支持板９２と、肘掛け基板５１に相当する肘掛け基板９３と、保持手段７１に相当する保持手段１０６と、肘当て５２に相当する肘当て９４とを備えている。
【０１００】
肘掛け支持板９２は、前後寸法が、肘掛け基板９３に設けた前後方向に長い開口部９５の前後寸法と、肘掛け基板９３の前後寸法との間の寸法となるようにして形成された閉塞板９６と、閉塞板９６の上面に設けられたガイド突部９７とを有している。
ガイド突部９７には、前後方向を向く長孔９８が、上下に貫通させて形成され、長孔９８の上面の開口縁には、短寸の縁片９９が上向きに突設されている。
【０１０１】
肘掛け支持板９２は、ガイド突部９７の長孔９８を閉塞部材４５の上向突部４７に遊嵌することにより、前後方向に相対移動可能、左右方向に相対移動不能、かつ上向突部４７回りに水平回動可能として、閉塞部材４５の上面により支持されている。
【０１０２】
肘掛け基板９３における底面板１００の中央部には、前後方向を向く上記の開口部９５が形成されている。この開口部９５は、肘掛け支持板９２の閉塞板９６により常に閉塞されるようになっている。すなわち、閉塞板９６の前後及び左右寸法は、後述するように、肘掛け基板９３を、前後左右方向に最大限移動させた際でも、開口部９５全体が閉塞板９６により閉塞される大きさとされ、開口部９５に異物が入り込まないようにしてある。
【０１０３】
肘掛け基板９３の開口部９５を、肘掛け支持板９２のガイド突部９７に、前後方向に相対移動不能、左右方向に相対移動可能、かつ相対回動不能として嵌合することにより、肘掛け基板９３は、肘掛け支持板９２の上面に左右方向にのみ相対移動可能として支持されている。これにより、肘掛け基板９３は、肘掛け支持板９２とともに、第２方向である前後方向に移動するとともに、水平回動しうるようになっている。
【０１０４】
肘掛け基板９３における開口部９５の前後端縁より外側には、左右の起立片１０１、１０１間において、左右方向を向くガイド片１０２、１０２が設けられ、その外面には、それぞれ内方に凹入する左右複数の係合溝１０３が形成されている。
【０１０５】
肘掛け基板９３の底面板１００の中央部上面には、下部保持部材１０４と、上部保持部材１０５と、固定部材６９と、ボルト７０からなる保持手段１０６が装着されている。
肘掛け基板９３の底面板１００の中央部上面、すなわち前後のガイド片１０２と左右の起立片１０１により囲まれた内方の凹部内において、底面板１００の上面には、肘掛け支持板９２とにより肘掛け基板９３を前後左右方向に相対移動可能に挟持する、上記の下部保持部材１０４が、左右方向に移動可能に収容されている。この下部保持部材１０４は、左右寸法を、左右の起立片１０１、１０１間の寸法よりも所要寸法小さく、かつ前後寸法を、前後に対向するガイド片１０２、１０２間の離間寸法とほぼ同等とすることにより、肘掛け基板９３に対して左右方向にのみ相対移動しうるようになっている。
【０１０６】
下部保持部材１０４の中央部には、前後方向を向く長方形状の凹部１０７が設けられ、凹部１０７の底面板１０８に、前後方向の嵌合孔１０９が形成され、下部保持部材１０４は、この嵌合孔１０９を、肘掛け支持板９２におけるガイド突部９７の縁片９９に嵌合させて、肘掛け基板９３の底面板１００の上面に載置されている。
【０１０７】
下部保持部材１０４の左右の起立部１１０の外側面には、内方に凹入する前後複数の係合溝１１１が、それぞれ形成されている。
また、下部保持部材１０４の前後の端部には、前後のガイド片１０２に上方から係合するようにした下向き鉤形の弾性係合片１１２、１１２が設けられ、各弾性係合片１１２の下端部内面が、各ガイド片１０２に設けた複数の係合溝１０３に弾性係合しうるようになっている。
【０１０８】
下部保持部材１０４における凹部１０７の底面板１０８の上面には、上述の上部保持部材１０５が収容されている。この上部保持部材１０５の左右寸法は、下部保持部材１０４における凹部１０７の左右の内側面に摺接する寸法とされ、また前後寸法は、凹部１０７の前後の内側面の離間寸法よりも相当小としてある。これにより、上部保持部材１０５は、下部保持部材１０４に対して前後方向に相対移動可能、左右方向に相対移動不能、かつ相対回動不能となっている。
【０１０９】
上部保持部材１０５の左右縁における前後方向の中央部には、下向き鉤形の弾性係合片１１３、１１３が設けられ、両弾性係合片１１３、１１３の下端部の内面には、それぞれ、図１０の係合凸部８０と同様のものが突設されている。弾性係合片１１３は、上部保持部材１０５の左右の起立部１１０に、上方より嵌合されている。
【０１１０】
上部保持部材１０５の中央部下面には、肘掛け支持板９２の長孔１０５の左右幅とほぼ等しい外径の筒状の嵌合突部１１４が下向きに突設され、この嵌合突部１１４を、上部保持部材１０４の嵌合孔１０９及び肘掛け支持板９２の長孔９８に摺動可能に嵌合するとともに、閉塞部材４５の上向突部４７に回動可能に嵌合することにより、上部保持部材１０５は、下部保持部材１０４の底面板１０８の上面に、下部保持部材１０４に対して前後方向に相対移動可能、かつ肘掛け支持板９２に対しては相対回動可能として載置されている。なお、嵌合突部１１４は、閉塞部材４５と上部保持部材１０５間の上下寸法を一定に保持するスペーサとしての機能を有し、嵌合突部１１４の下端を閉塞部材４５の上面に当接させることにより、下部保持部材１０４の底面板１０８の上面に、上部保持部材１０５の下面が強く当接しないようにしてある。
【０１１１】
上部保持部材１０５の中央部上面に形成された平面視円形の凹部１１５には、円形の固定部材６９(図２参照)が、相対回動可能に収容されている。
【０１１２】
この肘掛け装置においては、肘当て９４を前後方向に移動させる際には、肘掛け支持板９２および下部保持部材１０４が、肘掛け基板９３と一体に移動するため、肘掛け支持板９２の閉塞板９６の前後寸法を、肘掛け基板９３の開口部９５の前後寸法以上、かつ肘掛け基板９３の前後方向の寸法以下とすることにより、常に、開口部９５全体を閉塞板９６によって閉塞することができ、開口部９５内に異物が入り込むのを防止することができる。また、閉塞板９６が、肘掛け基板９３の前後端縁から前後方向にはみ出すこともないので、外観を良好に保持することができる。
【０１１３】
また、肘掛け９１を、左右方向に移動させる際には、肘掛け支持板９２及び上部保持部材１０４に対して肘掛け基板９３が左右方向に相対移動するが、肘掛け基板９３の開口部９５全体が、肘掛け支持板９２の閉塞板９６により常に閉塞されているため、開口部９５に異物が入り込むのを防止することができる。
【０１１４】
上記実施形態および変形例において、前後方向を第１方向、左右方向を第２方向としてもよい。
【符号の説明】
【０１１５】
１  キャスタ
２  脚
３  支柱
４  座
５  背凭れ
６  支基
６ａ前部上面
７  背凭れ支持杆
７ａ起立部
７ｂ前向部
７ｃ上向突片
８  枢軸
９  肘掛け装置
１０  肘掛け支柱
１１  肘掛け
１２  下部支持杆(支持体)
１２ａ起立部
１２ｂ内向部
１３  高さ調節装置
１４  上部支持筒(移動部材)
１４ａ拡大部
１４ｂ内向鍔部
１４ｃ凹入段部
１５  内向突部
１５ａ縦溝
１６  凹部
１７  ボルト挿通孔
１８  凹部
１８ａ突条
１９  雌ねじ孔
２０  ボルト
２０ａ頭部
２０ｂ軸部
２０ｃ雄ねじ部
２１  凹入段部
２１ａ底面
２１ｂ凹孔
２２  窓孔
２３  係合孔
２４  挿通孔
２５  閉塞板
２６  垂下側片
２７  エンドキャップ
２８  係合孔
２９  ピン
３０  ロック部材
３０ａ胴部
３０ｂ係合突部
３０ｃ突部
３０ｄばね受け用突部
３１  挿通孔
３２  圧縮コイルばね(付勢手段)
３３  窓孔
３４  内筒体(ガイド部材)
３４ａ拡大段部
３５  凹入段部
３５ａ底壁
３５ｂリブ
３６  挿通孔
３７  縦溝
３８  Ｕ字状溝
３９  係合孔(係合部)
４０  回動杆
４０ａ軸部
４０ｂ円板部
４０ｃ被操作部
４０ｄ当接面
４１  凹溝
４１ａ縦溝
４１ｂ横溝
４１ｃ縦溝
４２  連係機構
４３  操作レバー
４３ａ操作部
４３ｂ作動部
４４  枢軸
４５  閉塞部材
４６  止めねじ
４７  上向突部
５０  肘掛け支持板(遮蔽部材)
５０ａ閉塞板
５１  肘掛け基板
５１ａ底面板
５２  肘当て
５３  貫通孔
５４  四角ナット
５５  ガイド突部
５５ａガイド面
５６  長孔
５７  縁片
５８  上向突片
５８ａ拡幅部
５９  めねじ孔
６０  突縁
６１  起立片
６２  リブ
６３  開口部
６３ａ被ガイド面
６４  スリット
６５  被ガイド面
６６  係合溝
６７  下部保持部材
６７ａ底面板
６７ｂ前向片
６８  上部保持部材
６９  固定部材
６９ａ円形突部
６９ｂ突片
７０  ボルト
７１  保持手段
７２  嵌合孔
７３  ガイド部
７４  ねじ
７５  弾性係合片
７５ａ係合突部
７６  ガイド片
７７  係合溝
７８  突条
７９  弾性係合片
８０  係合突部
８１  嵌合突部
８２  凹部
８３  段付嵌合孔
８４  段部
８５  段付き貫通孔
８６  厚肉部
８７  係合溝
８８  角孔
８９  弾性体
９０  係止ピン
９１  肘掛け
９２  肘掛け支持板(遮蔽部材)
９３  肘掛け基板
９４  肘当て
９５  開口部
９６  閉塞板
９７  ガイド突部(嵌合突部)
９８  長孔
９９  縁片
１００  底面板
１０１  起立片
１０２  ガイド片
１０３  係止溝
１０４  下部保持部材
１０５  上部保持部材
１０６  保持手段
１０７  凹部
１０８  底面板
１０９  嵌合孔
１１０  起立部
１１１  係止溝
１１２、１１３  弾性係合片
１１４  嵌合突部
１１５  凹部
【図１】
0006045015.tif 000002
【図２】
0006045015.tif 000003
【図３】
0006045015.tif 000004
【図４】
0006045015.tif 000005
【図５】
0006045015.tif 000006
【図６】
0006045015.tif 000007
【図７】
0006045015.tif 000008
【図８】
0006045015.tif 000009
【図９】
0006045015.tif 000010
【図１０】
0006045015.tif 000011
【図１１】
0006045015.tif 000012
【図１２】
0006045015.tif 000013
【図１３】
0006045015.tif 000014
【図１４】
0006045015.tif 000015
【図１５】
0006045015.tif 000016
【図１６】
0006045015.tif 000017